(57)【要約】【課題】演出効果を向上させた表示装置を提供する。【解決手段】表示装置１０は、ＬＥＤ群２０，２１がライン状に配列された回転部１１と、この回転部を回転自在に軸支する固定軸１２，１３と、この固定軸を回転中心として回転部１１を回転させる回転駆動部１４と、回転部１１の回転位置に基づいてＬＥＤ群２０，２１の明るさを制御する制御手段とを備えている。回転部１１は、ＬＥＤ群２０，２１が異なる半径になるように円弧形状に配列された２つの保持部２２，２３を備えており、一方の保持部２２に対して他方の保持部２３が固定軸１２，１３を中心にして１８０度回転させた位置に配置されている。この保持部２２，２３に配列された発光ダイオード２０，２１は、遠心面２２Ａ，２３Ａ側と向心面２２Ｂ，２３Ｂ側とでは異なる色の光を発光する。【選択図】        図１
2004254948.tif 000002
【特許請求の範囲】
【請求項１】
遊技機で使用するメダルを貸し出すメダル貸出機または遊技機に用いられる表示装置であり、複数の発光素子が配列された回転部と、前記回転部を回転自在に軸支する固定軸と、前記固定軸を回転中心として前記回転部を回転させる回転駆動手段と、前記発光素子の点灯を前記回転部の回転位置に基づいて制御する制御手段とを備える表示装置において、
前記回転部は、前記複数の発光素子が異なるライン形状に配列された複数の保持部を備えていることを特徴とする表示装置。
【請求項２】
前記複数の保持部は、前記複数の発光素子が異なるライン形状に配列された２つの保持部であり、一方の保持部に対して他方の保持部が前記固定軸を中心にして１８０度回転させた位置に配置されていることを特徴とする請求項１記載の表示装置。
【請求項３】
前記保持部は、前記固定軸に対向する面である向心面と、前記向心面とは逆側の面である遠心面とを備え、
前記複数の発光素子は、前記向心面に固定される前記発光素子と前記遠心面に固定される前記発光素子との一対を単位として前記保持部にライン状に配置されていることを特徴とする請求項１または請求項２記載の表示装置。
【請求項４】
前記複数の発光素子は、前記向心面に固定される前記発光素子と前記遠心面に固定される前記発光素子とが異なる色を発光することを特徴とする請求項３記載の表示装置。
【請求項５】
表示装置用窓部を備える筐体と、
前記表示装置用窓部から見える範囲内を前記発光素子が移動するように前記筐体に取り付けられた請求項１乃至請求項４のいずれかに記載の表示装置とを有する遊技機。
【請求項６】
表示装置用窓部を備える筐体と、
前記表示装置用窓部から見える範囲内を前記発光素子が移動するように前記筐体に取り付けられた請求項１乃至請求項４のいずれかに記載の表示装置とを有するメダル貸出機。
【発明の詳細な説明】
【０００１】
【発明の属する技術分野】
本発明は、遊技機で使用するメダルを貸し出すメダル貸出機または遊技機に用いられる表示装置、それを用いた遊技機およびメダル貸出機に関する。
【０００２】
【従来の技術】
最近のスロットマシンでは、３本のリールとは別に、表示装置を３本のリールの周辺に設け、ゲームの経過や入賞の種類に応じた表示を行ってゲームの雰囲気を盛り上げる効果を出しているものがある。このような表示装置では、発光ダイオード等の発光素子を用いて表示領域全体に多数の発光素子を密に配置するのが一般的であり、例えば縦方向６４個横方向３２個といった膨大な数の発光素子が配置されている。
【０００３】
一方、スロットマシンに投入されるメダルの貸出を行うメダル貸出機は、紙幣投入口から紙幣が投入されると、投入された紙幣の金額に応じた枚数のメダルをメダル受取部に送出する。この際、紙幣投入口の下方に設けられた表示装置においても、前述したスロットマシンの表示装置と同様に、発光ダイオードなどの発光素子を表示領域全体に密に配置して形成されたものが用いられることがある。
【０００４】
このような表示装置では、膨大な数の発光素子を必要とするためにコストが高くなるという問題があった。また、これらの発光素子は同一平面上に配置されているので面白みに欠けるという欠点があった。
【０００５】
このような問題を解決するために、本出願人から発光素子がライン状に配置された回転部と、その回転部と略平行になるように回転部を回転自在に軸支する固定軸とを備え、この固定軸を中心にして回転部を回転させることにより、残像効果を利用して少ない数の発光素子で表示を行うことを可能にし、且つ表示面を円筒面等の曲面することにより演出効果を向上させた表示装置が出願されている（特許文献１参照）。
【０００６】
【特許文献１】
特願２００２−２６９０１２号
【０００７】
【発明が解決しようとする課題】
しかしながら、上述した特許文献１の表示装置では少ない数の発光素子で表示を可能にしているために低コストで製造可能であるが、回転部には、発光素子が一列しか配置されていないため、表示面を複数形成することが不可能である。このため、表示形態の自由度が低く、演出効果を高めるという点では、まだものもの足りないという問題があった。
【０００８】
本発明は、上記問題点を解決するためのもので、画像を複数重ね合わせることにより演出効果を高めて遊技者に独特の興趣を与える表示装置、それを用いた遊技機およびメダル貸出機を提供することを目的とする。
【０００９】
【課題を解決するための手段】
上記問題点を解決するために、本発明の表示装置は、遊技機で使用するメダルを貸し出すメダル貸出機または遊技機に用いられる表示装置であり、複数の発光素子が配列された回転部と、回転部を回転自在に軸支する固定軸と、この固定軸を回転中心として回転部を回転させる回転駆動手段と、前述の発光素子の点灯を回転部の回転位置に基づいて制御する制御手段とを備える表示装置であり、回転部は、複数の発光素子が異なるライン形状に配列された複数の保持部を備えていることを特徴とするものである。
【００１０】
また、この複数の保持部は、複数の発光素子が異なるライン形状に配列された２つの保持部であり、一方の保持部に対して他方の保持部が前記固定軸を中心にして１８０度回転させた位置に配置されていることを特徴とするものである。
【００１１】
この保持部は、固定軸に対向する面である向心面と、この向心面とは逆側の面である遠心面とを備え、複数の発光素子は、向心面に固定される発光素子と遠心面に固定される発光素子との一対を単位として保持部にライン状に配置されていることを特徴とするものである。
【００１２】
この複数の発光素子は、向心面に固定される発光素子と遠心面に固定される発光素子とが異なる色を発光することを特徴とするものである。
【００１３】
本発明の遊技機は、表示装置用窓部を備える筐体と、この表示装置用窓部から見える範囲内を発光素子が移動するように筐体に取り付けられた前述の表示装置とを有するものである。
【００１４】
本発明のメダル貸出機は、表示装置用窓部を備える筐体と、表示装置用窓部から見える範囲内を前記発光素子が移動するように前記筐体に取り付けられた前述の表示装置とを有するものである。
【００１５】
【発明の実施の形態】
本実施形態においては表示装置と、それを用いた遊技機およびメダル貸出機について説明を行う。なお、本発明は本実施形態に限定されるものではない。
【００１６】
図１は、本発明の表示装置１０の構成を示す斜視図である。表示装置１０は、回転部１１と、この回転部１１を回転自在に保持する２つの固定軸１２，１３と、回転部１１を固定軸１２，１３を回転中心にして回転駆動させる回転駆動手段としての回転駆動部１４と、表示装置１０の全体を制御するトランスミット基板１５と、回転位置検出部１６とで構成されている。
【００１７】
回転部１１は、複数の発光素子としての発光ダイオード（以下ＬＥＤと称する）群２０，２１がライン状に配列された２つの保持部２２，２３と、この保持部２２，２３を回転自在にするために形成された２つの軸受２４，２５と、２つの支持部２６，２７とで構成されている。２つの保持部２２，２３は透明な樹脂で形成されており、一方に対して他方を固定軸１２，１３を中心として１８０度回転させた位置に配置されている。この保持部２２，２３は、支持部２６，２７により軸受２４，２５と一体に連結されている。また、この２つの支持部２６，２７のうち、上方に位置する支持部２６には、上面に基板２８が一体に形成されている。なお、本実施形態においては、固定軸を２本の固定軸１２，１３に分割して構成しているが、これに限るものではなく、１本の同軸にしても良い。
【００１８】
図２は、回転部１１の側面断面図を示している。保持部２２は、上下方向に延び、透明な樹脂で形成された細い板を固定軸１２，１３に対して円弧状に湾曲させた形状にされている。また、この保持部２２は、円弧の中心が回転部１１の回転中心線ＣＬ上に位置するように配置されている。この図に示すように、ＬＥＤ群２０は、保持部２２の上下方向に沿ってライン状に配列され固定されている。保持部２２は、固定軸１２，１３に対向する面である向心面２２Ｂと、この向心面２２Ｂとは逆側の面（回転時に外側に位置する面）である遠心面２２Ａとを備えている。
【００１９】
また、ＬＥＤ２０−１Ａ〜２０−１６Ａ，２０−１Ｂ〜２０−１６Ｂは、保持部２２の長さ方向の同位置で遠心面２２Ａに固定されるＬＥＤ２０−１Ａ〜２０−１６Ａと、向心面２２Ｂに固定されるＬＥＤ２０−１Ｂ〜２０−１６Ｂとの各一対を単位として配置されている。これにより、ＬＥＤ群２０は、保持部２２の遠心面２２Ａと向心面２２Ｂに上下方向に円弧を描くように一列に配置される。この円弧の中心は回転部１１の回転中心線ＣＬ上に設定されているので、回転部１１が回転駆動した時に、保持部２２の軌跡は球面を描く。
【００２０】
また、前述のように保持部２２は遠心面２２Ａと向心面２２Ｂとの両側にＬＥＤ群２０が配置されているので、表示装置１０を保持部２２の回転領域の外側から見る場合、保持部２２が固定軸１２，１３より手前にある領域では遠心面２２Ａに固定されたＬＥＤ２０−１Ａ〜２０−１６Ａによる表示を行い、保持部２２が固定軸１２，１３より遠方にある領域では向心面２２Ｂに固定されたＬＥＤ２０−１Ｂ〜２０−１６Ｂによる表示を行うことができる。
【００２１】
さらに、遠心面に固定されるＬＥＤ２０−１Ａ〜２０−１６Ａが発光する色と、向心面に固定されるＬＥＤ２０−１Ｂ〜２０−１６Ｂが発光する色とは異なっている。本実施形態では、遠心面２２Ａに固定されるＬＥＤ２０−１Ａ〜２０−１６Ａは赤色の光を発光し、向心面２２Ｂに固定されるＬＥＤ２０−１Ｂ〜２０−１６Ｂは青色の光を発光する。これによって、本実施形態の表示装置１０を回転部の回転領域の外側から見る場合、回転部１０が固定軸１２，１３より手前にある領域における表示色は赤色となり、回転部１０が固定軸１２，１３より遠方に位置する領域における表示色が青色となる。すなわち、保持部２２が回転軸より手前の周回領域にある場合と、回転軸より奥にある周回領域にある場合とで異なった色の表示を行うことができる。
【００２２】
保持部２３は、保持部２２と同様に透明な樹脂で形成され、保持部２２の円弧よりも半径が小さくなるように円弧状に湾曲させた形状にされている。また、この保持部２３は、円弧の中心が回転部１１の回転中心線ＣＬ上に位置するようにされている。その他の構成は保持部２２と同様であり、保持部の長さ方向の同位置で遠心面２３Ａに固定されるＬＥＤ２１−１Ａ〜２１−１６Ａと、向心面２３Ｂに固定されるＬＥＤ２１−１Ｂ〜２１−１６Ｂとの各一対を単位として配置されている。この保持部２３は、保持部２２と同様に、遠心面２３Ａに固定されるＬＥＤ２１−１Ａ〜２１−１６Ａは赤色の光を発光し、向心面２３Ｂに固定されるＬＥＤ２１−１Ｂ〜２１−１６Ｂは青色の光を発光するようにされている。なお、図２に示すように、保持部２２と保持部２３とが互いに円弧半径が異なる形状となっている。つまり、保持部２２と保持部２３とは、回転中心線ＣＬに対して非対称形状となっている。
【００２３】
これにより、ＬＥＤ群２１は、保持部２３の遠心面２３Ａと向心面２３Ｂに上下方向に円弧を描くように一列に配置される。この円弧の中心は回転部１１の回転中心線ＣＬ上に設定されているので、回転部１１が回転駆動した時に、保持部２３の軌跡は球面を描く。この保持部２３の軌跡は、円弧の半径が保持部２２よりも小さく設定されているので、保持部２２よりも内側に描かれる。
【００２４】
なお、ＬＥＤ群２０，２１の色は適宜変更可能であり、例えば、保持部２２の遠心面２２Ａおよび向心面２２Ｂの全てに赤色の光を発光するＬＥＤを配置して、保持部２３の遠心面２３Ａおよび向心面２３Ｂの全てに青色の光を発光するＬＥＤを配置しても良い。
【００２５】
このように、本実施形態においては、複数の発光素子としてＬＥＤ群２０，２１を用いている。ＬＥＤは一般の電球に比べてスイッチング時間が短いため、保持部２２，２３を高速で回転させた場合でも、１回の回転の間に多数回スイッチングすることが可能であり、複雑な表示を行うことができる。また、ＬＥＤは一般の電球に比べて寿命が長いため、メンテナンスのコストを削減することができる。また、保持部２２，２３に１６対のＬＥＤ群２０，２１を配置するように説明したが、本発明の表示装置は保持部２２，２３に任意数のＬＥＤを配置して構成しても良い。
【００２６】
回転駆動部１４は、モータ２９とギア３０で構成されている。本実施形態においては、モータ２９として、ＤＣモータを用いた例について説明を行う。このモータ２９の駆動がギア３０を介して、軸受２４の外周面の上部に形成されたギア２４ａに伝達される。回転部１１は、固定軸１２，１３により回転自在に保持されているので、軸受２４のギア２４ａにモータ２９の駆動が伝達されると回転部１１が回転駆動を行う。これにより、保持部２２，２３に配置されたＬＥＤ群２０，２１が保持部２２，２３とともに回転駆動する。この回転駆動により、人の視神経における残像現象を利用してＬＥＤ群２０，２１の回転によってカバーされる領域全体に亘る表示を行うことが可能である。ただし、残像現象を利用するので回転駆動は十分速く行う必要がある。表示にちらつきを感じさせないようにするためには、例えばこの回転駆動の周期を１２ｍｓ以下にすることが好ましい。
【００２７】
また、回転位置検出部１６は、回転部１１が所定の回転位置にあることを検出する。回転位置検出部１６は、インデックスセンサ１６ａとインデックス１６ｂとで構成されおり、インデックスセンサ１６ａは固定軸１２に配置され、インデックス１６ｂは軸受２４の上面に配置されている。このインデックスセンサ１６ａには、フォトダイオード（図示せず）と、フォトトランジスタ（図示せず）とが設けられており、このフォトダイオードからの光を受けるようにフォトトランジスタ（図示せず）が配置されている。インデックス１６ｂは、軸受２４が所定の回転位置にある時に、インデックス１６ｂがフォトダイオードからフォトトランジスタへの光を遮るよう配置されている。これにより、回転部１１の所定の回転位置が検出される。この所定の回転位置を保持部２２，２３の表示開始位置に設定することができる。
【００２８】
また、この回転位置検出部１６により、保持部２２，２３が回転する周期を検出することが可能である。さらに、フォトダイオード及びフォトトランジスタの対を表面表示開始位置および裏面表示開始位置のそれぞれに対応する信号を得て、それらの信号に同期させて表示を行うようにしても良い。（削除）
【００２９】
次に、表示装置１０の電気的構成について説明を行う。図３は、表示装置１０の電気的構成を示すブロック図である。表示装置１０には、トランスミット基板１５上に表示装置１０の全体の制御を行う制御手段としての制御部３１が設けられており、モータ２９、及び回転位置検出部１６に接続されている。さらに、トランスミット基板１５上には、パラシリ変換部３４と、変換部としての赤外線トランスミッタ３５とが設けられ、制御部３１と接続されている。これらは、制御部３１によって制御される。また、トランスミット基板１５は、電源３２と接続されており、トランスミット基板１５内の各部に電源が供給される。
【００３０】
制御部３１は、パラシリ変換部３４を制御して、表示装置１０によって表示される表示信号をパラレル信号からシリアル信号に変換して出力させる。シリアル信号に変換された表示信号は、赤外線トランスミッタ３５に送信され、ここで光信号である赤外線信号に変換される。
【００３１】
また、回転部１１のレシーバ基板２８には、再変換部としての赤外線レシーバ３６と、シリパラ変換部３７と、発光素子駆動回路としての駆動回路３８とが設けれている。この赤外線レシーバ３６は軸受２４内に設けられており、前述の赤外線トランスミッタ３５に光ファイバ３９を介して接続されている。赤外線トランスミッタ３５から出力された赤外線は、光ファイバ３９内を伝播して赤外線レシーバ３６に入射する。この赤外線レシーバ３６は、赤外線トランスミッタ３５から出力されて伝達された赤外線信号を再びシリアル信号の表示信号に変換する。これにより、表示信号が回転部１１の赤外線レシーバ３６に送信される。
【００３２】
このシリパラ変換部３７は、赤外線レシーバ３６により変換されたシリアル信号の表示信号をパラレル信号の表示信号に変換を行う。その後、パラレル信号の表示信号は、駆動回路３８により受信され、この駆動回路３８がこの信号に基づいて、ＬＥＤ群２０，２１を駆動する。この駆動回路３８はレシーバ基板２８に形成せずに支持部２６，２７に形成しても良いし、保持部２２，２３に形成しても良い。
【００３３】
前述した軸受２４には、固定軸１２から軸受２４に導電させるための導電機構としてスリップリング（図示せず）を備えており、電源３２からトランスミット基板１５に供給された電力がスッリプリングを介して回転部１１の各部に供給される。このため、基板１８に設けられた駆動回路３８などへの電源供給を回転部１１の回転に拘わらず、スリップリングを介して確実に行うことができ、光信号を送信するための光ファイバ３９や、電源供給のための配線などによって阻害されることなく回転部１１が回転することができる。
【００３４】
なお、導電機構はスリップリングに限らず、固定軸１２から軸受２４に導電させる機構であれば他の機構でも良い。例えば、非接触で電力を伝達する電磁誘導コイルを用いて、駆動回路３８などに電力供給するようにしても良い。これにより、非接触で電力を伝達する電磁誘導コイルを介して駆動回路３８に電源供給が行われるので、回転部１１の回転によって阻害されることなく回転部１１の支持部２６に形成されたレシーバ基板２８に設けられた駆動回路３８などへの電源供給を行うことができる。
【００３５】
また、シリアル信号に変換された表示信号が、トランスミット基板１５から回転部１１に設けられたレシーバ基板２８へ光ファイバ３９を介して光信号で伝達されるように説明したが、シリアル信号に変換された表示信号も前述したスリップリングを介してトランスミット基板１５からレシーバ基板２８に伝達されるようにしても良い。この場合、変換部としての赤外線トランスミッタ３５、光ファイバ３９、及び再変換部としての赤外線レシーバ３６は不要となる。
【００３６】
また、制御部３１は、例えば中央演算装置、記憶装置、記憶装置に記憶されたプログラム、および制御する各部に対するインターフェースを備えて構成され、ＬＥＤ群２０，２１の明るさを保持部２２，２３の回転位置および表示信号に基づいて制御する。このため、制御部３１は、回転駆動部１４、回転位置検出部１６、赤外線トランスミッタ３５、赤外線レシーバ３６、および駆動回路３８と信号のやり取りを行っている。なお、制御部３１はロジック回路および制御する各部に対するインターフェースによって構成することもできる。
【００３７】
以下、上述した表示装置１０の作用について図４のフローチャートを参照して説明を行う。電源３２は、トランスミット基板１５内の各部に電源を供給する。この電力により回転駆動部１４のモータ２９が駆動される。制御部３１は、回転位置検出部１６から所定の回転位置と回転周期Ｔの情報を取得する。制御部３１は、この位置情報に基づいて、シリパラ変換部３４を制御することにより、表示信号をパラレル信号からシリアル信号に変換して出力させる。本実施形態においては、保持部２２が基準位置Ａ、保持部２３が基準位置Ｂにあるときに回転位置検出部１６からの信号を制御部３１が検出する。
【００３８】
前述のパラレル信号の例を、図５の保持部２２に配列されたＬＥＤ群２０のタイミングチャート図に示す。図５（Ａ）は、「ＢＩＧ」という文字列を表示する場合において、回転部１１の回転位置に対応するＬＥＤ群２０の点灯位置を示している。保持部２２が基準位置Ａの位置から基準位置Ｂまで回転する間は、遠心面２２Ａ側のＬＥＤ２０−１Ａ〜２０−１６Ａのスイッチングを行うことにより、遠心面２２Ａ側の表示を行っている。
【００３９】
保持部２２が基準位置Ｂから基準位置Ａまで回転する間は、向心面２２Ｂ側のＬＥＤ２０−１Ｂ〜２０−１６Ｂのスイッチングを行うことにより、向心面２２Ｂ側の表示を行っている。
【００４０】
図５（Ｂ）は、ＬＥＤ群２０の点灯位置に対応させて各ＬＥＤ２０−１Ａ〜２０−１６Ａ、２０−１Ｂ〜２０−１６Ｂを点灯させる表示信号のタイミングチャート図である。保持部２２による表示は、例えば回転部１１の回転位置Ｐ１では全てのＬＥＤを非点灯とし、周回位置Ｐ２ではＬＥＤ２０−１０Ａ〜２０−１３Ａを点灯とし、周回位置Ｐ３ではＬＥＤ２０−６Ａ〜２０−８Ａ、および２０−１０Ａ〜２０−１２Ａを点灯させるというように行われる。
【００４１】
また、図６は、保持部２３に配列されたＬＥＤ群２１のタイミングチャート図である。図６（Ａ）は、「ＢＩＧ」という文字列を表示する場合において、保持部２３の回転位置に対応するＬＥＤ群２１の点灯位置を示している。保持部２３は、固定軸１２，１３を回転中心として保持部２２を１８０度回転させた位置にあるので、保持部２２が基準位置Ａにある時は、保持部２３が基準位置Ｂにある。保持部２２が１８０°回転して基準位置Ｂに到達した時に、保持部２３が、表示開始位置である基準位置Ａに到達する。保持部２３が基準位置Ａから基準位置Ｂまで回転する間は、遠心面２３Ａ側のＬＥＤ２１−１Ａ〜２１−１６Ａのスイッチングを行うことにより、遠心面２３Ａ側の表示を行っている。
【００４２】
また、基準位置Ｂから基準位置Ａまで回転する間は、向心面２３Ｂ側のＬＥＤ２１−１Ｂ〜２１−１６Ｂのスイッチングを行うことにより、向心面２３Ｂ側の表示を行っている。
【００４３】
図６（Ｂ）は、ＬＥＤ群２０の点灯位置に対応させて各ＬＥＤ２１−１Ａ〜２１−１６Ａ、２１−１Ｂ〜２１−１６Ｂを点灯させる表示信号のタイミングチャート図である。保持部２３による表示は、例えば回転部１１の回転位置Ｐ１では全てのＬＥＤを非点灯とし、周回位置Ｐ２ではＬＥＤ２１−５Ａ〜２１−１３Ａを点灯とし、周回位置Ｐ３ではＬＥＤ２１−５Ａ，２１−９Ａ、および２１−１３Ａを点灯させるというように行われる。
【００４４】
このようなＬＥＤ群２０，２１のスイッチングは、１回転を１周期Ｔとして、例えば、図５（Ａ）及び図６（Ａ）のように表示する場合には、周期Ｔを５０分割した時間でスイッチングを行い、表示パターンを変化させることにより残像効果で画像を表示させている。なお、本実施形態では、周期Ｔを５０分割した時間でＬＥＤ群のスイッチングを行っているが、これに限るものではなく、例えば、１００分割した時間でＬＥＤ群のスイッチングを行っても良い。また、５０分割した時間をさらに４分割し、ＬＥＤの点灯・消灯を制御するようにしても良い。この場合、明るさの制御を行うこともできるという利点がある。
【００４５】
これらのパラレル信号がパラシリ変換部３４に送信されてシリアル信号に変換される。このシリアル信号は赤外線トランスミッタ３５に送信されて光信号に変換され、光信号である赤外線が光ファイバ３９内を伝播して赤外線レシーバ３６に送信される。
【００４６】
赤外線レシーバ３６は、受信した赤外線の光信号をシリアル信号に再変換してシリパラ変換部３７に送信する。シリパラ変換部３７は、このシリアル信号をパラレル信号に変換する。このパラレル信号は、図５（Ｂ）及び図６（Ｂ）に示すパラレル信号と同様のものであり、このパラレル信号が駆動回路３８に送信される。駆動回路３８は、このパラレル信号に基づいて対応する位置のＬＥＤ群２０，２１を発光させて表示する。
【００４７】
このＬＥＤ群２０，２１による表示は、保持部２２が基準位置Ａから基準位置Ｂまで回転する間は、遠心面２２Ａ側に配置されたＬＥＤ２０−１Ａ〜２０−１６Ａが発光する。この時、保持部２３は、基準位置Ｂから基準位置Ａまでの間を回転しており、向心面２３Ｂ側に配置されたＬＥＤ２１−１Ｂ〜２１−１６Ｂが発光する。つまり、保持部２２の遠心面２２Ａの表示と保持部２３の向心面２３Ｂの表示は、並列的に行われる。
【００４８】
その後、保持部２２が基準位置Ｂから基準位置Ａまで回転する間は、向心面側２２Ｂに配置されたＬＥＤ２１−１Ｂ〜２１−１６Ｂが発光する。この時、保持部２３は基準位置Ａから基準位置Ｂまでの間を回転しており、遠心面２３Ａ側に配置されたＬＥＤ２１−１Ａ〜２１−１６Ａが発光する。つまり、保持部２２の向心面２２Ｂの表示と保持部２３の遠心面２３Ａの表示は、並列的に行われる。
【００４９】
この表示においては、保持部２２，２３が透明な樹脂で形成されているので、例えば、保持部２２が観察方向奥側にあり、保持部２３が観察方向手前側にある場合でも、保持部２２のＬＥＤ群２０の向心面２０Ｂ側から発光された光は、保持部２３にて遮られることはない。これにより、図７に示すように、保持部２２のＬＥＤ群２０により球面上に文字列「ＢＩＧ」が表示される。図７（Ａ）は向心面２２Ｂ側のＬＥＤ２０−１Ｂ〜２０−１６Ｂによる表示面であり、図７（Ｂ）は遠心面２２Ａ側のＬＥＤ２０−１Ａ〜２０−１６Ａによる表示面である。
【００５０】
また、保持部２３のＬＥＤ群２１により、保持部２２による表示面よりも半径が小さい球面上に「ＢＩＧ」の文字列が表示され、この表示面は図７に示す表示面よりも内側に形成される。これにより、保持部２２が形成する球面の表示面と保持部２３が形成する球面の表示面とが重なって二重に表示されるので、一つの表示面に表示する場合と比べて演出効果が向上する。
【００５１】
前述したような表示は、数周期（数回転）に亘って繰り返し行われる。制御部３１が表示を終了するか否かを判定する。表示を終了しないと判定された場合には、引き続き表示を行う。また、表示を終了すると判定された場合には、制御部３１が、モータ２９を停止させて、表示の処理が終了する。
【００５２】
なお、本実施形態においては、２つの保持部を固定軸を中心にして一方を他方に対して１８０度回転させた位置に配置させたが、これに限るものではなく、例えば、９０度回転させた位置に配置しても良い。
【００５３】
また、本実施形態においては、複数の保持部を、固定軸方向に延びる細い板を大小異なる半径の円弧形状に湾曲させた形状にして、ＬＥＤ群を円弧状に配列したが、これに限るものではなく、複数の保持部は、固定軸方向に延びる形状にして、ＬＥＤ群をライン形状に配列すれば良い。例えば、固定軸と平行になるように透明な細い板を配置して、ＬＥＤ群を直線状に配列しても良いし、複数の透明な細い板で構成して、ＬＥＤ群を屈曲させた直線状に配列しても良い。また、これらの異なる形状・サイズの保持部を適宜組み合わせて回転部を構成しても良い。
【００５４】
なお、本実施形態においては、保持部を２個設けたが、これに限るものではなく、３個以上設けても良い。
【００５５】
また、本実施形態においては、保持部の遠心面と向心面にＬＥＤ群を設けたが、これに限るものではなく、遠心面のみにＬＥＤ群を設けても良い。この場合は、表示装置の背面側に反射板を設置して、遠心面が背面側に回転した時に遠心面に配置されたＬＥＤ群の光を反射板で反射させれば良い。
【００５６】
さらに、本実施形態においては、ＬＥＤの明るさを点灯または非点灯の２段階のみに制御する例で説明を行ったが、これに限るものではなく、制御部がＬＥＤを複数段階の明るさに制御するようにして、微妙なニュアンスの表示を行うようにしても良い。
【００５７】
また、本実施形態においては、モータ２９として、ＤＣモータを用いた例について説明したが、これに限るものではなく、例えば、パルスモータを使用しても良い。この場合は、制御部３１がパルスモータの速度を制御するので、回転位置検出部１６から所定の回転位置（表示開始位置）の情報のみを取得すれば良い。
【００５８】
次に、表示装置１０を用いた遊技機としてスロットマシン５０の説明を行う。図８は、スロットマシン５０の外観斜視図である。スロットマシン５０は、四角箱状の筐体５１を有し、筐体５１の中央部及び上部には、遊技者側に観察される表示部５２が形成されている。そして、この表示部５２の中央には、三個の回転リール５３ａ，５３ｂ，５３ｃの図柄を見ることができる図柄表示窓５４と、表示装置用窓５５とが形成されている。そして、表示装置１０は、表示装置用窓５５から見える範囲内をＬＥＤ群２０，２１が移動するように筐体５１に取り付けられている。以下、スロットマシン５０について簡単に説明する。
【００５９】
ベットボタン５６は、回転リール５３ａ，５３ｂ，５３ｃの前方に位置するボタンであって、選択するゲームの種類に応じて貯留メダル数を減じて、メダル投入に代える。精算ボタン５７は、ベットボタン５６の前方に位置するボタンであって、貯留した投入メダルを払い出す。払い出されたメダルは、メダル払出口５８から放出され、メダル受皿５９に貯められる。
【００６０】
スタートレバー６０は精算ボタン５７の右側に位置するレバーであって、遊技メダルの投入若しくはベットボタン５６の投入を条件に、回転リール５３ａ，５３ｂ，５３ｃの駆動を開始させる。ストップボタン６１ａ，６１ｂ，６１ｃは、回転リール５３ａ，５３ｂ，５３ｃの駆動を停止させるためのものである。各回転リール５３ａ，５３ｂ，５３ｃは、合成樹脂からなる回転ドラムと、この回転ドラムの周囲に貼付されるテープ状のリールテープとを備えている。このリールテープの外周面には、複数個の図柄が表示されている。また、ストップボタン６１ａ，６１ｂ，６１ｃの右側には、メダル投入口６２が設けられている。
【００６１】
このスロットマシン５０において表示装置１０は、例えば、「ビックボーナス」の当選役が内部入賞した時、それを遊技者に報知するために、「ＢＩＧ」などの文字列が表示されるようにしても良いし、内部入賞した当選役を構成する図柄が表示されるようにしたり、当選役を内部入賞させるために推奨するストップボタン６１ａ，６１ｂ，６１ｃの操作順序が表示されるようにしても良い。
【００６２】
次に、表示装置１０を用いたメダル貸出機７０について説明を行う。図９は、メダル貸出機７０の外観斜視図である。このメダル貸出機７０は、筐体７１を備えており、その正面の下方に、表示装置用窓７２が設けれている。その表示装置用窓７２に表示を行うように第１実施形態の表示装置１０が取り付けられている。すなわち、表示装置１０は、表示装置用窓７２から見える範囲内をＬＥＤ群２０，２１が移動するように筐体７１に取り付けられている。
【００６３】
メダル貸出機７０の筐体７１の正面部には、表示装置用窓７２の上方に紙幣投入口７３、メダル払出口７４などが設けられている。メダル払出口７４は、後述するようにメダル搬送装置の終端部に位置し、これにより、払い出されたメダルをメダル溜（図示せず）に払い出すためのものである。
【００６４】
また、メダル貸出機７０は、図示はしないが、紙幣判別機と、コンピュータと、メダルホッパと、メダル搬送装置とをその内部に備えている。紙幣判別機は、紙幣投入口７３から投入された紙幣７５の種類を判別し、その判別結果をコンピュータへ送信するものである。コンピュータは、この投入された金額に応じたメダル数を演算し、その演算結果をメダルホッパに送信する。メダルホッパは、投入された金額に応じた枚数のメダルを一枚ずつ排出するものである。メダル搬送装置は、メダルホッパとメダル払出口との間を結んでいる。
【００６５】
このメダル貸出機７０において、表示装置１０は、例えば、投入された紙幣７５の金額に相当するメダルの数量などを表示する。
【００６６】
【発明の効果】
以上説明したように、本発明の表示装置によれば、立体的な演出が可能となるうえ、形状が異なる複数の表示面により、画像を重ねて表示することが可能である。これにより、表示形態の自由度が向上し、演出効果を高めることができる。また、遊技機や、遊技機にて使用されるメダルを貸し出すメダル貸出機にこの表示装置を用いることにより、遊技者に対してアピール度や演出効果が向上し、独特の興趣を遊技者に与えることができる。
【００６７】
また、表示領域全体に多数の発光素子を密に配置した場合に比べて、少ない数の発光素子で表示することが可能であるため、低コストで製造可能である。
【図面の簡単な説明】
【図１】本発明の表示装置の概略構成を示す斜視図である。
【図２】回転部の形状を説明する側面断面図である。
【図３】本発明の表示装置の電気構成を示すブロック図である。
【図４】本発明の表示装置の作用を説明するフローチャート図である。
【図５】表示信号であるパラレル信号のタイミングチャート図である。
【図６】表示信号であるパラレル信号のタイミングチャート図である。
【図７】表示装置により表示される表示面のイメージ図である。
【図８】表示装置を用いたスロットマシンの外観斜視図である。
【図９】表示装置を用いたメダル貸出機の外観斜視図である。
【符号の説明】
１０  表示装置
１１  回転部
１２，１３  固定軸
１４  回転駆動部
１５  トランスミット基板
１６  回転位置検出部
２０，２１  ＬＥＤ群
２２，２３  保持部
２４，２５  軸受
２６，２７  支持部
２８  レシーバ基板
２９  モータ
５０  スロットマシン
５５  表示装置用窓
７０  メダル貸出機
７２  表示装置用窓
【図１】
2004254948.tif 000003
【図２】
2004254948.tif 000004
【図３】
2004254948.tif 000005
【図４】
2004254948.tif 000006
【図５】
2004254948.tif 000007
【図６】
2004254948.tif 000008
【図７】
2004254948.tif 000009
【図８】
2004254948.tif 000010
【図９】
2004254948.tif 000011